(57)【要約】      （修正有）【課題】イカ釣りに用いられる釣り具で、イカが捕食した時に、イカまでスムーズに到達させることができるヤエンを提供する。【解決手段】本体部２と、本体部２を道糸に係止可能な係止部３Ｆ，３Ｒと、本体部２に取付けられる針部４と、を備え、係止部３Ｆ，３Ｒにより本体部２を道糸に係止させた状態で本体部２の自重により道糸に沿って摺動させるヤエン１であって、本体部２は、薄肉の板状を成し、先端部は側方から見て進行方向に傾斜している。【選択図】図１
2019149960.tif 000002
【特許請求の範囲】
【請求項１】
本体部と、前記本体部を道糸に係止可能な係止部と、前記本体部に取付けられる針部と、を備え、前記係止部により前記本体部を道糸に係止させた状態で該本体部の自重により道糸に沿って摺動させるヤエンであって、
前記本体部は、薄肉の板状を成すことを特徴とするヤエン。
【請求項２】
前記本体部の先端部は、上下方向に亘って板厚方向に先細りする形状を成すことを特徴とする請求項１に記載のヤエン。
【請求項３】
前記本体部は、進行方向両側方に延びる板状の羽部を備え、前記本体部と前記羽部とにより略十字形状を成していることを特徴とする請求項１または２に記載のヤエン。
【請求項４】
前記本体部の先端部は、側方から見て進行方向に傾斜していることを特徴とする請求項１ないし３のいずれかに記載のヤエン。
【請求項５】
前記針部は、前記本体部の先端部よりも後方側に保持されていることを特徴とする請求項１ないし４のいずれかに記載のヤエン。
【発明の詳細な説明】
【技術分野】
【０００１】
本発明は、イカ釣りに用いられる釣り具であるヤエンに関する。
【背景技術】
【０００２】
従来からイカを釣る方法として、道糸にアジなどの生餌を付けて泳がせ、イカが生餌を捕食したときに、道糸に吊り下げられたヤエンと呼ばれる釣り具を該道糸に沿って摺動させて降ろしていき、イカに到達したヤエンの針をイカに引っ掛けることで釣り上げる方法がある（例えば、特許文献１参照）。
【０００３】
特許文献１に示されるヤエンにあっては、ガイドリング（係止部）を道糸方向に二カ所設け、二つのガイドリングを連結する主杆（本体部）に錘を配置するとともに、該主杆端部に複数本の針を設けている。錘は断面視楕円形状を成しているため、水の抵抗を受けにくくなっており、水中を動きやすくなっている。
【先行技術文献】
【特許文献】
【０００４】
【特許文献１】特開２００２−２０９４８７号公報（第２頁、第４図）
【発明の概要】
【発明が解決しようとする課題】
【０００５】
しかしながら、特許文献１のヤエンにあっては、錘が断面視楕円形状を成し、水中を動きやすくなっている反面、ヤエンが水中移動時に進行方向側方から水圧や水流を受けると、ヤエンが道糸を中心としたローリング方向や上下方向の軸を中心としたヨーイング方向に動いてしてしまい、直進性が低下してイカまでヤエンをスムーズに到達させることができず、好適なタイミングを逃し、イカが逃げてしまう虞があった。
【０００６】
本発明は、このような問題点に着目してなされたもので、イカまでスムーズに到達させることができるヤエンを提供することを目的とする。
【課題を解決するための手段】
【０００７】
前記課題を解決するために、本発明のヤエンは、
本体部と、前記本体部を道糸に係止可能な係止部と、前記本体部に取付けられる針部と、を備え、前記係止部により前記本体部を道糸に係止させた状態で該本体部の自重により道糸に沿って摺動可能なヤエンであって、
前記本体部は、薄肉の板状を成すことを特徴としている。
この特徴によれば、本体部における進行方向先端側の受圧面が小さいことから入水時の抵抗や水中移動時の抵抗を抑えることができるとともに、進行方向と交差する方向の受圧面が大きいことから進行方向側方からの水圧に対してローリング方向やヨーイング方向に動きにくく直進性が向上するため、イカまでヤエンをスムーズに到達させることができる。
【０００８】
前記本体部の先端部は、上下方向に亘って板厚方向に先細りする形状を成すことを特徴としている。
この特徴によれば、進行方向先端側の受圧面を小さくして入水時の抵抗や水中移動時の抵抗をさらに抑えることができる。
【０００９】
前記本体部は、進行方向両側方に延びる板状の羽部を備え、前記本体部と前記羽部とにより略十字形状を成していることを特徴としている。
この特徴によれば、本体部によりローリング方向やヨーイング方向の動きを抑制し、羽部によりピッチング方向の動きを抑制することができるため、直進性が高い。
【００１０】
前記本体部の先端部は、側方から見て進行方向に傾斜していることを特徴としている。
この特徴によれば、進行方向先端側の受圧面を小さくして入水時の抵抗や水中移動時の抵抗をさらに抑えることができる。
【００１１】
前記針部は、前記本体部の先端部よりも後方側に保持されていることを特徴としている。
この特徴によれば、針部の保持部分よりも先に本体部の先端部が水に作用するため、入水時の抵抗や水中移動時の抵抗を確実に抑制できる。
【図面の簡単な説明】
【００１２】
【図１】（ａ）は実施例１におけるヤエンを示す側面図、（ｂ）は上面図、（ｃ）は正面図である。
【図２】実施例１のヤエンを投入した状態を示す斜視図である。
【図３】（ａ）は実施例１の本体部の周囲の水流を示す上面概略図、（ｂ）は本体部に側方から圧力がかかった状態を示す正面概略図である。
【図４】（ａ）は実施例２におけるヤエンを示す側面図、（ｂ）は上面図である。
【図５】（ａ）は、実施例２の本体部の周囲の水流を示す側面概略図、（ｂ）は上面概略図、（ｃ）は本体部に上方から圧力がかかった状態を示す側面概略図である。
【図６】（ａ）は実施例３のヤエンの本体部を示す側面概略図、（ｂ）は上面概略図、（ｃ）は実施例３のヤエンの入水時を示す側面概略図である。
【発明を実施するための形態】
【００１３】
本発明に係るヤエンを実施するための形態を実施例に基づいて以下に説明する。
【実施例１】
【００１４】
実施例１に係るヤエンにつき、図１から図３を参照して説明する。以下、図１（ａ）（ｂ）の紙面左側をヤエンの正面側（前方側）とし、ヤエンを正面から見てその左右方向をヤエンの左右側として説明する。
【００１５】
ヤエン１は、アオリイカやスミイカを釣る際に用いられる釣り具である。図１に示されるように、ヤエン１は、本体部２と、係止部３Ｆ，３Ｒと、複数の針部４と、から主に構成されている。
【００１６】
本体部２は、鉛、ステンレス、タングステン等の金属製の薄板をプレス機による打ち抜き加工により形成されている。特に図１（ｂ）の拡大部に示されるように、本体部２の前方側の上下方向に亘って形成される先端部２ａは、上方から見て、前方側（進行方向）に向けて先細りする形状（板厚方向に先細りする形状）を成しており、板厚方向（左右方向）の略中央部に頂部２ｂが配置されている。尚、本実施例の本体部２は、外形形状の一例として魚の形を模した形状を成しているが、外形形状は自由に変更しても構わない。
【００１７】
尚、本実施例では、本体部２をプレス機による打ち抜き加工により形成する形態を例示したが、レーザ加工機による切断加工により形成されてもよいし、金型を用いた鋳造加工により形成されてもよい。
【００１８】
係止部３Ｆ，３Ｒは、本体部２の前後に設けられており、後方側の係止部３Ｒが前方側の係止部３Ｆより高い位置に配置されている。この係止部３Ｆ，３Ｒは、ステンレス等の金属製の線材により形成されている。
【００１９】
具体的には、特に、図１（ｃ）の拡大部に示されるように、係止部３Ｒは、下方に開口３ｃを有する鉤状を成すフック部３ａと、フック部３ａの開口３ｃを閉塞するように該フック部３ａの前方側に重畳する線状部３ｂと、を有するクリップ状を成し、線状部３ｂの弾性変形及び弾性復元によりフック部３ａの開口３ｃを開閉できるようになっている。フック部３ａと線状部３ｂとの間に道糸Ｌ（図２参照）を上方から挿入し、開口３ｃからフック部３ａ内に道糸Ｌを通すことにより、道糸Ｌにヤエン１を簡便に吊り下げることができるようになっている。また、上記と逆の工程により道糸Ｌからヤエン１を簡便に取外すことができるようになっている。尚、係止部３Ｆは、係止部３Ｒと略同一構成であるため、係止部３Ｆの説明を省略する。
【００２０】
針部４は、ステンレス等の線状部材４ａと、線状部材４ａの一端に固定される釣針４ｂと、から構成されている。針部４は、その後端４ｃが本体部２の前端部において、本体部２の先端部２ａよりも後方側に溶接固定されている。すなわち、本体部２の先端部２ａは、針部４の後端４ｃ（保持部）よりも前方側に配置されている。尚、針部４は、溶接に限られず、ネジなどの固定手段により本体部２に固定されていてもよい。
【００２１】
また、複数の針部４（本実施例では４つ）は、正面から見て本体部２を中心として略放射状に延びており、本体部２の前方には、複数の針部４により囲まれた所定の空間Ｓが形成されている。また、各釣針４ｂは、その先端が空間Ｓ側（内側）を向くように配設されている。
【００２２】
次に、ヤエン１を用いてイカを釣る方法について図２を参照して概略的に説明する。図２に示されるように、ヤエン１を用いたイカ釣り方法は、先ず、道糸Ｌの先端にアジなどの生餌５を付けて水中（海中）に投入し、水中の生餌５にイカ６が食いついた当たりが得られたら、道糸Ｌにヤエン１を吊り下げて水中に投入する。水中に投入されたヤエン１が道糸Ｌにガイドされて生餌５のところまで降下することで、釣針４ｂをイカ６に引っ掛けることができ、その後、竿やリールを用いてイカ６を引き上げるようになっている。
【００２３】
図２に示されるように、ヤエン１は、係止部３Ｆ，３Ｒにより道糸Ｌに吊り下げることにより、本体部２の自重により道糸Ｌに沿って下方（水中）に摺動するようになっている。すなわち、本体部２は、ヤエン１を道糸Ｌに沿って摺動させるための錘の機能を有している。また、前述したように、後方側の係止部３Ｒは、前方側の係止部３Ｆよりも高い位置に配設されているので、本体部２が道糸Ｌに対して適正な姿勢を保ったまま道糸Ｌに沿って摺動できるようになっている。
【００２４】
また、ヤエン１を道糸Ｌに吊り下げた状態にあっては、道糸Ｌが複数の針部４により囲まれた空間Ｓを通るようになっている。これによれば、ヤエン１が道糸Ｌの先端まで到達したときに、空間Ｓ内に道糸Ｌの先端に取付けた生餌５に食いついたイカ６が配置されるようになるため、イカ６に対して釣針４ｂを適正に配置することができ、イカ６に対して釣針４ｂが掛かる確率が向上している。
【００２５】
次に、ヤエン１の水中移動時の状態を図３を用いて説明する。尚、図３においては、説明の便宜上、本体部２と、該本体部２と相対的な水の流れを概略的に示しているため、係止部３Ｆ，３Ｒや針部４の構成の図示を省略している。
【００２６】
図３（ａ）に示されるように、本体部２が板厚方向の板厚が薄い板状を成すことから、ヤエン１の入水時や水中移動時において正面から水圧を受ける受圧面が小さい。そのため、ヤエン１の入水時や水中移動時における抵抗を抑えることができる。
【００２７】
また、本体部２の先端部２ａは、上下方向に亘って進行方向に向けて先細りする形状であることから、正面の受圧面（先端部２ａ）を小さくして入水時の抵抗や水中移動時の抵抗を効果的に抑えることができ、ヤエン１の移動速度が減速することを抑制できる。
【００２８】
また、本体部２の先端部２ａに沿って後方側に水の流れ（黒細矢印）が形成されるため、先端部が本体部２の両側面と直角な面である場合に比べて渦流が発生し難く、水中移動時の左右のブレや振動を抑えることができる。また、先端部２ａは、板厚方向（左右方向）の略中央部に頂部２ｂが配置されているので、本体部２の左右に略均等な水の流れ（黒細矢印）が形成されるようになり、水中移動時の左右のブレや振動を好適に抑えることができる。
【００２９】
また、ヤエン１の水中移動時には、本体部２の側面に対して直交または交差する方向に潮の流れが発生していることがある。例えば、図３（ｂ）に示すように、本体部２の右面に対して直交して水流（白太矢印）が発生することがある。本実施例の本体部２の側面は、本体部２の先端部２ａよりも大きくなっている。言い換えれば、本体部２の側方の受圧面（側面）は、本体部２の正面の受圧面（先端部２ａ）よりも大きくなっている。
【００３０】
これによれば、本体部２の右面に対して直交する水流により本体部２が左方に押されても、ヤエン１が水中にある状態にあっては、本体部２の左面にも水圧（黒太矢印）を受けているため、該水圧が抵抗となり、本体部２がヨーイング方向やローリング方向に揺動し難い。尚、ここでいう本体部２のローリング方向の揺動とは、道糸Ｌを中心として本体部２が揺動することであり、本体部２のヨーイング方向の揺動とは、上下方向の軸を中心として揺動することである。さらに尚、本実施例の本体部２は、前後方向に長い形状を成しているので、道糸Ｌと本体部２の下端との距離を短くできるため、特に本体部２がローリング方向に揺動し難い。
【００３１】
つまり、本体部２は、水中移動時における前方側への移動に対する抵抗が小さく、側方側への移動に対する抵抗が大きくなっていることから直進性が高く、ヤエン１が道糸Ｌ上で停滞することを回避することができ、ヤエン１をイカ６までスムーズ且つ迅速に到達させることができる。そのため、タイミングを逃し難く、イカ６に釣針４ｂが掛かる確立を高めることができる。
【００３２】
また、従来のヤエンを用いたイカ釣りの方法にあっては、ヤエンが道糸Ｌ上で停滞することを回避するために、生餌５にイカ６が食いついた当たりが得られた時点からある程度イカ６を釣り人側に引き寄せ、水面に対する道糸Ｌの角度を立たせた状態（例えば、水面と道糸Ｌとの角度が４５度以上となる状態）で、ヤエンを投入することが一般的であり、この場合、イカ６を釣り人側に引き寄せる途中で逃げられてしまう確率が高かった。
【００３３】
対して、本実施例のヤエン１にあっては、直進性が高くなっているため、水面に対する道糸Ｌの角度が寝た状態（例えば、水面と道糸Ｌとの角度が４５度以下となる状態）でヤエン１を投入してもヤエン１をイカ６までスムーズ且つ迅速に到達させることができる。すなわち、釣り人側にイカ６を引き寄せなくても、生餌５にイカ６が食いついた当たりが得られた時点でヤエン１を投入することができるため、イカ６に釣針４ｂが掛かる確率が向上する。
【００３４】
また、前述のように、本実施例の本体部２にあっては、水中移動時の左右のブレや振動が抑えられているため、イカ６にヤエン１の存在を気づかれにくくすることができるため、イカ６に釣針４ｂが掛かる確率を高めることができる。
【００３５】
また、前述したように、針部４は、本体部２の先端部２ａよりも後方側に保持されているため、針部４の保持部分（後端４ｃ）よりも本体部２の先端部２ａが進行方向前方側に位置するため、針部４の保持部分よりも先に本体部２の先端部２ａが水に作用し、入水時の抵抗や水中移動時の抵抗を確実に抑制できる。
【実施例２】
【００３６】
次に、実施例２に係るヤエンにつき、図４及び図５を参照して説明する。尚、前記実施例と同一構成で重複する構成の説明を省略する。尚、図４においては、係止部３Ｆ，３Ｒや針部４の構成を簡略化しており、図５においては、説明の便宜上、係止部３Ｆ，３Ｒや針部４の構成の図示を省略している。
【００３７】
図４に示されるように、本実施例２のヤエン１０は、本体部２の両側面に板状の羽部７Ｌ，７Ｒが固定され、略十字形状を成している。この羽部７Ｌ，７Ｒは、前方側から後方側に向けて広がるように傾斜する側面７ａ，７ａを有し、上面視において略直角三角形を成している。また、羽部７Ｌ，７Ｒは、側面視において前方側に先細りとなる形状を成している。
【００３８】
図５（ａ）に示されるように、羽部７Ｌ，７Ｒは、側面視において前方側に先細りとなる形状を成しているため、ヤエン１０の水中移動時には、羽部７Ｒの上面７ｂ及び下面７ｃに沿って後方側へ水が流れ（黒細矢印）、渦流が発生し難く、水中移動時の上下のブレや振動を抑えることができる（ここでは羽部７Ｒのみ図示）。
【００３９】
また、図５（ｂ）に示されるように、羽部７Ｌ，７Ｒは、上面視において前方側から後方側に向けて広がるように傾斜する側面７ａ，７ａ（先細り形状）を有しているため、ヤエン１０の水中移動時には、側面７ａ，７ａに沿って後方側へ水が流れ、渦流が発生し難く、水中移動時の左右のブレや振動を抑えることができる。
【００４０】
また、図５（ｃ）に示されるように、ヤエン１の水中移動時には、例えば、羽部７Ｌ，７Ｒの上面７ｂに対して直交する水流が発生することがあり、この場合には、本体部２をピッチング方向に揺動させる力が働くが、羽部７Ｌ，７Ｒの下面７ｃにかかる水圧が抵抗となり、本体部２がピッチング方向に揺動し難い。
【００４１】
つまり、本体部２によりローリング方向やヨーイング方向の揺動が抑制され、羽部７Ｌ，７Ｒによりピッチング方向の揺動が抑制されるため、直進性が高い。また、羽部７Ｌ，７Ｒは、上面視及び側面視において前方側に先細りしているため、ヤエン１０の入水時や水中移動時における抵抗を抑えることができる。
【００４２】
尚、本実施例２では、羽部７Ｌ，７Ｒの先端部が本体部２の先端部２ａよりも後方側に離間して配設されていたが、羽部７Ｌ，７Ｒの先端部と本体部２の先端部２ａとが連続するように配置されていてもよい。
【実施例３】
【００４３】
次に、実施例３に係るヤエンにつき、図６を参照して説明する。尚、前記実施例と同一構成で重複する構成の説明を省略する。尚、図６においては、説明の便宜上、係止部３Ｆ，３Ｒや針部４の構成の図示を省略している。
【００４４】
図６（ａ）（ｂ）に示されるように、本実施例３のヤエン１００は、側面視において、本体部２０の先端部２０ａの上端が該先端部２０ａの下端よりも後方に配置されるように傾斜している。すなわち、側面視において、本体部２０の先端部２０ａの下端が進行方向に突出するようになっており、本体部２０の下面と先端部２０ａの先端面とで成す角部２０ｂは鋭角を成している。
【００４５】
これによれば、図６（ｃ）に示されるように、ヤエン１００を投入したときには、角部２０ｂから入水するようになる。つまり、ヤエン１００の入水時における受圧面を小さくして入水時の抵抗を効率よく抑えることができる。
【００４６】
尚、本実施例３では、側面視において、本体部２０の先端部２０ａの上端が該先端部２０ａの下端よりも後方に配置されるように傾斜している形態を例示したが、側面視において、本体部２０の先端部２０ａの下端が該先端部２０ａの上端よりも後方に配置されるように傾斜してもよいし、側面視において、先端部２０ａの上下方向略中央部に向けて先細りするような形状であってもよい。
【００４７】
以上、本発明の実施例を図面により説明してきたが、具体的な構成はこれら実施例に限られるものではなく、本発明の要旨を逸脱しない範囲における変更や追加があっても本発明に含まれる。
【００４８】
例えば、前記実施例１〜３では、本体部の後端側の形状について特に言及しなかったが、本体部の後端側が後方に向けて先細りする形状として、渦流の発生を抑制し、ヤエンの水中移動時の抵抗をさらに抑制するようにしてもよい。
【００４９】
また、羽部も同様に後端側が後方に向けて先細りする形状として、渦流の発生を抑制し、ヤエンの水中移動時の抵抗をさらに抑制するようにしてもよい。
【００５０】
また、係止部は、前記実施例１〜３のものに限られず、道糸に対し着脱可能であればよく、例えば、線材が螺旋状に形成された係止部等であってもよい。
【００５１】
また、前記実施例１〜３では、針部４が４つ設けられる形態を例示したが、これに限られず、１または２つ以上の複数設けられていてもよい。また、針部４の配置も放射状に限られず自由に変更できる。
【符号の説明】
【００５２】
１                ヤエン
２                本体部
２ａ              先端部
３Ｆ，３Ｒ        係止部
４                針部
４ｃ              後端（保持部分）
６                イカ
７Ｌ，７Ｒ        羽部
１０              ヤエン
２０              本体部
２０ａ            先端部
２０ｂ            角部
１００            ヤエン
Ｌ                道糸
Ｓ                空間
【図１】
2019149960.tif 000003
【図２】
2019149960.tif 000004
【図３】
2019149960.tif 000005
【図４】
2019149960.tif 000006
【図５】
2019149960.tif 000007
【図６】
2019149960.tif 000008